(57)【特許請求の範囲】
【請求項１】
後方に向けて方向決めして、車両シート（２２）上に位置決め可能な安全用のチャイルドシートであって、前記チャイルドシートは、
シート本体（１０）と、
前記車両シートのシートバック（２８）に当接可能な支持部材（２４、２６）
とを備えており、
前記シート本体（１０）は、シート部（１２）とバックレスト（１４）とを備えており、
前記シート部は、固定リヤ部（３５）と、移動可能なフロント部（３４、４６、６０−６２、７４−７６、７８、８０、８８−９６）とを備えており、
前記フロント部は、展開位置と収容位置との間を移動でき、
前記展開位置において、前記フロント部の上面は、前記固定リヤ部（３５）の上面に連続しており、
前記収容位置において、前記固定リヤ部（３５）の前に開口部（３６）が形成され、前記開口部（３６）は、チャイルドシートを使用している年長の子供（４０）のひざ（４２）が曲げられ且つその子供の足（４４）が前記固定リヤ部（３５）の高さより下に位置決めされた状態で、その年長の子供（４０）の脚部を受けることができることを特徴とする安全用のチャイルドシート。
【請求項２】
請求項１に記載の安全用のチャイルドシートにおいて、
前記移動可能なフロント部（３４）は、そのリヤエッジを中心として枢動できるように、前記シート本体（１０）に取り付けられていることを特徴とする安全用のチャイルドシート。
【請求項３】
請求項１に記載の安全用のチャイルドシートにおいて、
前記移動可能なフロント部（４６）は、展開位置と収容位置との間を摺動できるように、前記シート本体（１０）に取り付けられており、
前記展開位置において、前記フロント部は前記開口部（３６）を覆い、
前記収容位置において、前記フロント部は、前記固定リヤ部（３５）に重なっていることを特徴とする安全用のチャイルドシート。
【請求項４】
請求項３に記載の安全用のチャイルドシートにおいて、
前記可動性を有するフロント部は、サイドフラップ（９０、９２）を有する中心部（８８）を備えており、
前記サイドフラップ（９０、９２）は、前記中心部（８８）に垂直方向で整合する収容位置内に移動可能となっていることを特徴とする安全用のチャイルドシート。
【請求項５】
請求項３または４に記載の安全用のチャイルドシートにおいて、
前記中心部は、２つの部分（９４，９６）に形成されており、
前記２つの部分（９４，９６）は、下方へ折り曲げることができるように、長手方向に伸長する中心ヒンジ（９８）によって相互に連結されていることを特徴とする安全用のチャイルドシート。
【請求項６】
請求項１に記載の安全用のチャイルドシートにおいて、
前記移動可能なフロント部（３４）の収容位置は、前記固定リヤ部（３５）より下にあることを特徴とする安全用のチャイルドシート。
【請求項７】
請求項１、２または３のいずれか１項に記載の安全用のチャイルドシートにおいて、
前記移動可能なフロント部（３４、４６、７８）の収容位置は、前記固定リヤ部（３５）より上にあることを特徴とする安全用のチャイルドシート。
【請求項８】
請求項１に記載の安全用のチャイルドシートにおいて、
前記移動可能なフロント部は、２つの部分（７４、７６）に形成されており、
前記２つの部分（７４、７６）は、前記固定リヤ部（３５）のサイドエッジから前方に突出するそれぞれの枢動軸（６４）に取り付けられていることを特徴とする安全用のチャイルドシート。
【請求項９】
請求項８に記載の安全用のチャイルドシートにおいて、前記枢動軸（６４）の各々は、固定状態の枢動軸（６６）に取り付けられており、
前記固定状態の枢動軸（６６）は、前記固定リヤ部（１２）のフロントエッジに隣接して且つ前記固定リヤ部（１２）のフロントエッジに平行に、横方向に突出していることを特徴とする安全用のチャイルドシート。
【請求項１０】
請求項１に記載の安全用のチャイルドシートにおいて、前記可動性を有するフロント部は、取り外し可能なパネル（８０）を備えており、
前記取り外し可能なパネル（８０）は、可撓性のあるコード（８４）によって前記チャイルドシート本体（１０）に固定されていることを特徴とする安全用のチャイルドシート。
【発明の詳細な説明】
【０００１】
【発明の属する技術分野】
本願発明は、車両シート上で後方に向いて方向決めされて位置決め可能なタイプのチャイルド安全シート（すなわち、安全用のチャイルドシート）に関する。
【０００２】
【従来の技術】
前記安全用のチャイルドシートは、シート本体と、前記車両シートのシートバック（背もたれ）に当接可能な支持部材とを有している。前記シート本体は、シート部と、バックレスト（背もたれ）とを備えている。このタイプのチャイルドシートは、ＥＰ−Ａ−７５１０３５に記述されている。
【０００３】
【発明が解決しようとする課題】
この種の公知のシートの継続使用は、子供が成長すると、子供の足が車両のシートバックに当接することによって制限される。この問題の１つの解決は、車両のシートバックと前記チャイルドシート本体との間の距離を増加させることである。しかしながら、これは、チャイルドシートが位置決めされる車両シートの前にある車両構造体と、子供の頭部との間の距離を減少させるという不利益がある。さらに、これは、車両のシートベルトを使用することによって、チャイルドシートを車両シートに固定するとき要求されるベルトの長さを増加させる結果となる。さらに別の不利益は、親が、チャイルドシートをより垂直位置に設定することによって前記問題を緩和する気になるかもしれないということである。これは、やっかいなことになる可能性があり、極端な場合、子供の脊椎に損傷を与える危険がある。
【０００４】
【課題を解決するための手段】
本願発明によれば、上述したタイプの安全用チャイルドシートにおいて、前記シート部は、固定（静止）状態のリヤ部と、移動可能なフロント部とを有している。前記移動可能なフロント部は、展開位置と、収容位置との間を移動可能になっている。前記展開位置において、前記フロント部の上面は、前記リヤ部の上面と隣接（または、連続）している。前記収容位置において、前記リヤ部の前に開口部が形成された状態になる。前記開口部は、チャイルドシートを使用している大きくなった子供の脚部（ｌｅｇｓ）を受けることができる。このとき、その年長の子供のひざは曲げられた状態となり、子供の足（ｆｅｅｔ）は、前記固定状態のリヤ部のレベル（すなわち、高さ）より下に位置決めされた状態になっている。
【０００５】
本願発明の実施の形態は、添付図面を参照して、具体例を通じて説明される。
【０００６】
【発明の実施の形態】
図１及び２を参照すると、安全用のチャイルドシートが、シート本体１０を備えている。シート本体１０は、成形（または、成型）されたシェル（外殻部）の形態となっている。シート本体１０は、シート部１２と、バックレスト１４と、側壁１６及び１８とを有している。シート本体１０は、ベース２０に取り付けられている。ベース２０は、車両シートのシート部２２に載置してある。ベース２０は、２つの肢部２４及び２６を有しており、肢部２４及び２６は、車両のシートバック（背もたれ）２８に当接する。前記チャイルドシートは、比較的に幼い子供３０によって使用されるように図示されている。幼い子供３０の足３２は、チャイルドシート本体１０のシート部１２のフロント部（すなわち、前部）３４に載置してある。
【０００７】
図３及び図４に示されているように、シート部１２のフロント部は、パネル３４を備えている。パネル３４は、そのリヤエッジ（後方エッジ）を中心として、図２及び図３に示されているような展開位置と、図４ないし図６に示されているような収容位置との間で枢動可能になっている。展開位置において、パネル３４は、シート部１２の固定（静止）状態のリヤ部３５の、前方への継続部分を形成している。収容位置において、パネル３４は、固定リヤ部３５の頂部に置かれ、２つの側壁１６及び１８の間に開口部３６が形成された状態になる。前記収容位置への移動は、矢印３８によって示されている。図５及び図６から理解できるように、パネル３４がその収容位置にある場合、年長の子供４０は、彼のひざが曲げられ且つ彼の足４４がシート部１２より下にある状態で、シート本体１０に着座することができる。
【０００８】
図７は、本願発明の第２の実施例を示している。この第２の実施例においては、枢動可能なパネル３４が、摺動可能なパネル４６に置き換えられている。摺動可能なパネル４６は、展開位置と収納位置との間で移動可能になっている。展開位置において、摺動可能なパネル４６は、開口部３６を覆う（カバーする）。収容位置において、摺動可能なパネル４６は、矢印４８によって図示されているように、シート部１２の頂部に位置決めされる。この実施例の変形において、パネル４６は、シート部１２の下にある収容位置に摺動できるように配置される。
【０００９】
図８は、本願発明の第３の実施例を示している。この第３の実施例において、枢動可能なパネル３４は、シート部１２の上の代わりに、シート部１２の下にある収容位置に枢動できるように配置されている。このパネル３４の移動は、矢印５０によって図示されている。
【００１０】
図９は、本願発明の第４の実施例を示している。この第４の実施例において、シートシェル（シート外殻部）の側壁１６及び１８は、バックレストから、シート部１２の固定リヤ部３５のエッジまでしか伸長していない。この実施例において、移動可能な部分は、２つの部分６０及び６２になっている。部分６０及び６２の各々は、それぞれの枢動ピン６４に取り付けられている。枢動ピン６４は、さらに、それぞれのスタブアクスル（すなわち、短く突出した軸）６６から径方向に突出している。各スタブアクスル６６は、固定（静止）状態のシート部１２の高さの真上で、横方向に突している。部分すなわちパネル６０及び６２の各々は、対応する側壁１６及び１８のそれぞれの開口部７２に整合するまで、矢印６８によって図示されているように、枢動ピン６４上で、その展開位置から垂直位置まで枢動できる。次いで、パネル６０及び６２は、矢印７０によって図示されているように、それらのスタブアクスル６６を中心として枢動して、側壁１６及び１８の開口部７２内に収容できる。パネル６０は、その収容位置にあることが実線で示されており、その展開位置にあることが点線で示されている。あるいは、パネル６０及び６２を、シェル（外殻部）１４の内側や外側に収容してもよい。
【００１１】
図１０の実施例は、以下の点で、図９の実施例とは異なっている。すなわち、２つのフロントパネル７４及び７６が、矢印６８によって図示されるようにそれぞれの開口部７２に整合する垂直位置まで枢動した後、矢印７７によって図示されるように、開口部７２内に摺動できるように取り付けられている。
【００１２】
図１１ないし図１３は、別の実施例を示している。この実施例において、シート部１２のフロント部は、移動可能なパネル７８を備えている。移動可能なパネル７８は、そのパネルがシートの交差方向において可撓性があるように、ヒンジによって相互に連結される１セットの交差スラット（ｔｒａｎｓｖｅｒｓｅ  ｓｌａｔ：すなわち、横断方向に伸長するよろい板）を備えている。パネル７８がその収容位置に移動したとき、図１３に示されているように、パネル７８は、シート部１２のリヤ部の頂部上に摺動し、年長の子供４０は、移動可能なパネル７８の頂部に着座することができる。あるいは、パネル７８は、シート部１２のリヤ部の下に摺動させてもよい。
【００１３】
パネル７８は、ブロー成形によって形成でき、薄い肉厚のブリッジ（ｂｒｉｄｇｅ）を備えており、前記ブリッジは、スラットの間に一体的なヒンジを形成している。あるいは、スラットは、接着剤によって層状の布に固定させてもよい。このとき、前記布がヒンジを形成する。
【００１４】
図１４は、他の実施例を示している。この実施例において、シート部１２のフロント部は、剛性のある取り外し可能なパネル８０を備えている。剛性のある取り外し可能なパネル８０は、チャイルドシート１０が年長の子供４０によって使用されるとき、チャイルドシート１０のベース２０に設けたスロット８２に収容できる。所望するならば、パネル８０をスロット８２の出口から部分的に引き出し、ベース２０と車両のシートバック２８との間に突出させ、これによって、子供の足４４から車両シートのシート部２２を保護することができる。
【００１５】
図１５は、さらに別の実施例を示している。この実施例は、図１４において対応する番号が付けられたパネルと同様な、取り外し可能なパネル８０を有している。パネル８０は、可撓性のあるコード８４によって、チャイルドシート本体１０に固定されている。図１５に示されたシートが年長の子供によって使用されるとき、パネル８０は、バックレスト１４の外側にクリップで留められる。
【００１６】
図１６は、幼い子供３０によって使用されているチャイルドシート８６を示している。チャイルドシート８６は、以下の点でチャイルドシート１０と異なっている。すなわち、シート部１２のフロント部が、中心領域８８と、図１７に図示されるように内方へ折り曲げることができる２つのサイドフラップ９０及び９２とを有するパネルを備えているという点で異なっている。図１８及び図１９に示されているように、チャイルドシート８６が年長の子供４０によって使用されるとき、２つのサイドフラップ９０及び９２は内方に折り曲げられ、中心領域８８の頂部に置かれる。中心領域８８は、下げられて、ベース２０の開口部９４内に摺動させられる。あるいは、サイドフラップ８８を開口部９４から部分的に突出させた状態とし、これにより、図１４を参照して説明したものと同様な態様で、フットレスト（足のせ台）として機能させることもできる。
【００１７】
図１７に示されたように、中心領域８８の頂部に向けて上のほうへ折り曲げる代わりに、図２０に示されるように、サイドフラップ９０及び９２を、中心領域８８の下に摺動させるように構成してもよい。あるいは、図２１及び２２に示されるように、チャイルドシート８６のフロントパネルに、２つの部分９４及び９６に形成された中心領域を設け、前記２つの部分を、下方へ折り曲げることができるように、長手方向に伸長する（換言すれば、長尺状の）中心ヒンジ９８によって相互に連結してもよい。サイドフラップ９０及び９２は、中心部分９４及び９６が下方へ折り曲げられたとき、互いに向けて引き寄せられることができるように、ヒンジによって２つの中心部分９４及び９６のエッジに連結されている。
【００１８】
本願発明の任意の実施例に係わる安全チャイルドシートは、車両のシートベルトを使用することによって、車両シート上の所定位置に固定することができる。あるいは、ＥＰ−Ａ−０６１９２０１に述べられているように、固定式アンカーを用いることによって、または、別体のストラップを用いることによって、適所に固定することができる。
【図面の簡単な説明】
【図１】図１は、本願発明の第１の実施例に係わる安全用のチャイルドシートの正面図であって、前記チャイルドシートが使用される状態において車両の後方から前方に向けて見た正面図であり、前記チャイルドシートは、幼い子供が使用できる形態とされている。
【図２】図２は、図１の線２−２に沿って取った断面図である。
【図３】図３は、その移動可能なパネルが展開位置にある状態での、図１に示されたシートの斜視図である。
【図４】図４は、線２−２に沿って取った断面図であって、しかも、年長の子供が使用できるように、前記移動可能なパネルが収容位置にある状態の断面図である。
【図５】図５は、図１と同様な正面図であって、しかも、前記移動可能なパネルがその収容位置にある状態の正面図である。
【図６】図６は、図５の線６−６に沿って取った断面図である。
【図７】図７は、本願発明の第２の実施例の、図４と同様な断面図である。
【図８】図８は、本願発明の第３の実施例の、図７と同様な断面図である。
【図９】図９は、本願発明の第４の実施例の、図３と同様な斜視図である。
【図１０】図１０は、本願発明の第５の実施例の、図３と同様な斜視図である。
【図１１】図１１は、本願発明の第６の実施例の、図２と同様な断面図である。
【図１２】図１２は、シート乗員がない状態の、図１１に示されたシートの平面図である。
【図１３】図１３は、図１１と同様な断面図であって、しかも、前記移動可能なパネルがその収容位置にある状態の断面図である。
【図１４】図１４は、本願発明の第７の実施例の、図４と同様な断面図である。
【図１５】図１５は、本願発明の第８の実施例の、図４と同様な断面図である。
【図１６】図１６は、本願発明の第９の実施例の正面図であって、折り曲げ移動可能なパネルがその展開位置にある状態の正面図である。
【図１７】図１７は、その収容位置を通して前記折り曲げ移動可能なパネルの移動を図示する、図１６の移動可能なパネルの断片図である。
【図１８】図１８は、図１６と同様な正面図であって、しかも、前記移動可能なパネルがその収容位置にある状態の正面図である。
【図１９】図１９は、図１８に示されたシートの縦断面図である。
【図２０】図２０は、前記移動可能なパネルを折り曲げる代わりの方法を図示している、図１７と同様な図である。
【図２１】図２１は、前記移動可能なパネルを折り曲げる代わりの方法を図示している、図１７と同様な図である。
【図２２】図２２は、前記移動可能なパネルを折り曲げる代わりの方法を図示している、図１７と同様な図である。
【符号の説明】
１０  シート本体                    １２  シート部
１４  バックレスト                  １６  側壁
１８  側壁                          ２０  ベース
２２  シート部                      ２４  肢部
２６  肢部                          ２８  車両のシートバック（背もたれ）
３０  幼い子供                      ３２  足
３４  フロント部（すなわち、パネル）
３５  固定リヤ部                    ３６  開口部
４０  年長の子供                    ４４  子供の足
４６  摺動可能なパネル              ４８  矢印
５０  矢印                          ６０  部分（パネル）
６２  部分（パネル）                ６４  枢動ピン
６６  スタブアクスル                ６８  矢印
７０  矢印                          ７２  開口部
７４  フロントパネル                ７６  フロントパネル
７７  矢印                          ７８  移動可能なパネル
８０  剛性のある取り外し可能なパネル
８２  スロット                      ８４  可撓性のあるコード
８６  チャイルドシート              ８８  中心領域
９０  サイドフラップ                ９２  サイドフラップ
９４  部分（中心部分）              ９６  部分（中心部分）
９８  中心ヒンジ
【図１】
0004114764.tif 000002
【図２】
0004114764.tif 000003
【図３】
0004114764.tif 000004
【図４】
0004114764.tif 000005
【図５】
0004114764.tif 000006
【図６】
0004114764.tif 000007
【図７】
0004114764.tif 000008
【図８】
0004114764.tif 000009
【図９】
0004114764.tif 000010
【図１０】
0004114764.tif 000011
【図１１】
0004114764.tif 000012
【図１２】
0004114764.tif 000013
【図１３】
0004114764.tif 000014
【図１４】
0004114764.tif 000015
【図１５】
0004114764.tif 000016
【図１６】
0004114764.tif 000017
【図１７】
0004114764.tif 000018
【図１８】
0004114764.tif 000019
【図１９】
0004114764.tif 000020
【図２０】
0004114764.tif 000021
【図２１】
0004114764.tif 000022
【図２２】
0004114764.tif 000023